(57)【要約】【課題】工場で製造された建設資材や据付け機器等の製品が建設現場で使用されるまでの製品管理と、製品が建設現場で使用される際の作業管理とを効率的に管理でき、しかも管理ミスが発生しにくい。【解決手段】建設現場管理システム４０は、ＲＦＩＤタグ１０のうちの長距離通信用ＲＦＩＤ２２、第１の読取手段４２、管理サーバ４６、及び通信ネットワークのうちの建設現場の敷地内通信をネットワークする敷地内広域ネットワーク、で構成され、製造工場で製造した製品を建設現場に搬入して使用するまでの製品管理である製品管理システム４０Ａと、短距離通信用ＲＦＩＤ２４、第２の読取手段４４、管理サーバ４６、及び通信ネットワークのうちの建設建屋内の通信をネットワークする建屋内無線ネットワーク、で構成され、製品が建設現場で使用される際の作業管理である作業管理システムと、の２つのシステムで構成される。【選択図】  図３
2008158569.tif 000002
【特許請求の範囲】
【請求項１】
読取手段との間で無線通信を行うことで情報を送受信するＲＦＩＤタグであって、    
ＩＣチップ及びループ状の長いアンテナを有する長距離通信用ＲＦＩＤと、
前記ループ状のアンテナの内側領域に複数形成され、ＩＣチップ及び短いアンテナを有すると共に前記長距離通信用ＲＦＩＤとは前記読取手段での読取り周波数が異なる短距離通信用ＲＦＩＤと、備え、
前記ＲＦＩＤタグには、該タグ全体から前記短距離通信用ＲＦＩＤを切り離すための破断線が形成されており、該切り離しの際に前記長距離通信用ＲＦＩＤのループ状アンテナも切り離されると共に、前記切り離す前のタグ全体を識別する本体管理用識別コードと、切り離した後の部分タグを識別する部分管理用識別コードとを有することを特徴とするＲＦＩＤタグ。
【請求項２】
建設現場で建設資材や据付け機器等の製品を管理するための建設現場管理システムにおいて、
前記製品に取り付ける請求項１のＲＦＩＤタグと、
前記ＲＦＩＤタグのうちの長距離通信用ＲＦＩＤを読取る第１の読取手段と、
前記ＲＦＩＤタグのうちの短距離通信用ＲＦＩＤを読取る第２の読取手段と、  
前記第１及び第２の読取手段との間で通信可能であると共に、管理情報全体を管理するデータベースを備えた管理サーバと、
前記第１及び第２の読取手段と前記管理サーバと間で情報を通信する通信ネットワークと、
前記通信ネットワークにアクセスする複数のアクセスポイントと、を備えたことを特徴とする建設現場管理システム。
【請求項３】
前記建設現場管理システムは、
前記ＲＦＩＤタグのうちの長距離通信用ＲＦＩＤ、前記第１の読取手段、前記データベースのうちの製品管理に関するファイル、前記通信ネットワークのうちの建設現場の敷地内通信をネットワークする敷地内広域ネットワーク及びそのアクセスポイント、で構成され、製造工場で製造した製品を建設現場に搬入して使用するまでのを管理する製品管理システムと、
前記ＲＦＩＤタグのうちの短距離通信用ＲＦＩＤ、前記第２の読取手段、前記データベースのうちの作業管理に関するファイル、前記通信ネットワークのうちの建設建屋内の通信をネットワークする建屋内無線ネットワーク及びそのアクセスポイント、で構成され、製品が建設現場で使用される際の進捗状況を管理する作業管理システムと、の２つのシステムで構成されることを特徴とする請求項２の建設現場管理システム。
【請求項４】
前記第１の読取手段は、前記長距離通信用ＲＦＩＤとの間で数ｍ距離の読み取りが可能であると共に、前記長距離通信用ＲＦＩＤにのみ反応する周波数に対応したＲＦＩＤ読取り機能、読取った情報を一時的に格納して関連情報の呼び出しや必要機能の起動を行う情報処理機能、製品の管理業務を支援する支援機能、前記管理サーバとの間で通信する通信機能、及び前記製品管理業務を支援する機能により出力される情報を表示する表示機能を備えることを特徴とする請求項２又は３の建設現場管理システム。
【請求項５】
前記管理サーバの製品管理用データベースには、建設現場の敷地情報、建設工事の工程表情報、製品の出荷情報、製品情報、及び前記製品の管理業務を支援する管理支援情報が前記長距離通信用ＲＦＩＤのコード名と関連づけられて格納されていることを特徴とする請求項３又は４の建設現場管理システム。
【請求項６】
前記第１の読取手段は、前記製品に取り付けられた前記ＲＦＩＤタグの長距離通信用ＲＦＩＤから前記製品のＲＦＩＤコードを読み取ると共に、前記製品管理用データベースに格納されている前記管理支援情報の中から製品を搬入する搬入エリア及び搬入時期を参照して前記工程表情報として表示すると共に、候補となる製品保管位置を前記敷地情報と合わせて表示することを特徴とする請求項５の建設現場管理システム。
【請求項７】
前記第２の読取手段は、前記短距離通信用ＲＦＩＤとの間で数１０ｃｍ距離の読み取りが可能であると共に、前記短距離通信用ＲＦＩＤにのみ反応する周波数に対応したＲＦＩＤ読取り機能、読取った情報を一時的に格納して関連情報の呼び出しや必要機能の起動を行う情報処理機能、工事進捗管理を支援する支援機能、前記管理サーバとの間で通信する通信機能、及び前記工事進捗管理を支援する機能により出力される情報を表示する表示機能を備えることを特徴とする請求項２〜６のいずれか１の建設現場管理システム。
【請求項８】
前記管理サーバの作業管理用データベースには、建設現場のエリア工程、工事施工図、３Ｄ−ＣＡＤ、周辺作業の進捗情報、資材の管理点に関する工事進捗管理を支援する支援情報が前記短距離通信用ＲＦＩＤのコード名と関連づけられて格納されていることを特徴とする請求項７の建設現場管理システム。            
【請求項９】
建設現場で建設資材や据付け機器等の製品を管理するための建設現場管理方法において、
請求項１のＲＦＩＤタグ全体である本体管理用ＲＦＩＤタグの長距離用ＲＦＩＤコード名と管理サーバのデータベースに格納された製品管理情報とを関連づける第１の工程と、
前記関連づけの終了した本体管理用ＲＦＩＤタグを前記製品の製造工場において該当製品に取り付ける第２の工程と、
前記本体管理用ＲＦＩＤタグを取り付けた製品を前記建設現場に出荷する第３の工程と、
前記建設現場において前記本体管理用ＲＦＩＤタグの長距離通信用ＲＦＩＤコード名を第１の読取手段で読み取って前記建設現場に入庫する製品を確認すると共に確認結果を前記データベースに記録する第４の工程と、
前記建設現場に入庫した製品を該当工事現場又は仮保管エリアに搬送する第５の工程と、
前記本体管理用ＲＦＩＤタグから短距離用ＲＦＩＤを備えた複数の部分管理用ＲＦＩＤタグを切り離す第６の工程と、
前記切り離された複数の部分管理通信用ＲＦＩＤタグコード名ごとにデータベースの管理点情報を関連づける第７の工程と、
前記部分管理用ＲＦＩＤタグのコード名を第２の読取手段で読み取って製品の管理点の場所及び数を確認する第８の工程と、
前記確認した部分管理用ＲＦＩＤタグをそれぞれの管理点に取り付けると共に切り離された後の本体管理用ＲＦＩＤタグを回収又は廃棄する第９の工程と、
前記部分管理用ＲＦＩＤタグが取り付けられた製品について据付け工事を実施すると共に、工事の進捗状況を前記データベースに記録する第１０の工程と、の各工程を製品ごとに実施することを特徴とする建設現場管理方法。
【発明の詳細な説明】
【技術分野】
【０００１】
本発明はＲＦＩＤ(Radio Frequency Identification)タグ及びそれを用いた建設現場管理システム並びに管理方法に係り、特に、工場で製造された建設資材や据付け機器等の製品が建設現場で使用されるまでの製品管理と、製品が建設現場で使用される際の作業管理とを効率的に実施するためのＲＦＩＤタグ及びそれを用いた建設現場管理システム並びに管理方法に関する。
【背景技術】
【０００２】
建設現場において建設資材や据付け機器等の製品に関して管理すべき情報としては、大きく分けて２つある。１つは、工場で製造した製品を建設現場に搬入して使用するまでの製品管理であり、もう一つは製品が建設現場で使用される際の作業管理である。  
【０００３】
そして、ＲＦＩＤタグを利用した建設現場の作業管理システムに関しては、例えば特許文献１がある。特許文献１では、ＲＦＩＤタグを資材、工具、作業者等に取り付けて、工程進捗状況や作業者の就業状況等の作業状況に関する管理を行うことが記載されている。
【特許文献１】特開２００５−３２６９６５号公報
【発明の開示】
【発明が解決しようとする課題】
【０００４】
しかしながら、特許文献１に用いられる１つの共用のＲＦＩＤタグでは製品管理と作業管理を効率的に行うことができないと共に、管理ミスを引き起こし易いという問題がある。
【０００５】
例えば、作業管理において、１つの製品において要求される情報は１つではなく複数あるため、特許文献１のように、１つのＲＦＩＤ機能のみを備えたＲＦＩＤタグでは対応できないという問題がある。即ち、製品管理では１つの製品に１つのＲＦＩＤタグで対応可能であるが、作業管理では１つの製品に対して複数の管理点が必要になる。製品として配管の例で見た場合、配管を接続する点が作業管理における管理点となるが、１つの配管に対して少なくとも両端を他の機器等に接合する必要があり、配管両端が管理点になる。また、Ｔ字形状の配管の場合には、接合点が３箇所存在し３つの管理点が存在する。
【０００６】
この場合、製品のＩＤと管理点のＩＤとを関連づけて、１つの製品のＩＤから管理点ＩＤを抽出することは可能であるが、１つのＲＦＩＤ情報と１つの管理点ＩＤとを直接的に対応させたものではないので、管理点の抽出間違いが生じる問題がある。また、製品管理のためのＲＦＩＤタグとは別に、１つの製品の管理点ごとにＲＦＩＤタグを取り付けて管理することも可能であるが、複数の管理点にそれぞれ取り付けたＲＦＩＤタグのうち、某管理点については別の製品に取り付けるべきＲＦＩＤタグを誤って取り付けてしまうという間違いが生じ易い。
【０００７】
また、製品管理に関する作業は、工場から出荷されてきた製品を建設現場に搬入する際に数量や製品番号等が伝票と一致しているかを管理する照合管理作業である。從って、建設現場に入庫する多数の製品を短時間で照合するためには、トラック等に積載された例えば配管の束を、建設現場の搬入口において、離れた位置から読取手段で効率的に読み取れることが必要となる。
【０００８】
これに対し、製品を建設現場で使用する際の作業管理は、製品の管理点ごとにＲＦＩＤタグに記録された情報を参照したり、管理点ごとの作業進捗状況を記録したりすることになるため、読取手段は、複数の近接した管理点に取り付けたＲＦＩＤタグの中から、現在管理すべき１つの管理点に取り付けられたＲＦＩＤタグだけを選択して読取りする必要がある。この場合、ＲＦＩＤタグの読取り距離が大きくなると、別な管理点情報までをも読み取ってしまう可能性も出てくる。
【０００９】
このように、建設現場の管理に使用するＲＦＩＤタグは製品単位で管理しなくてはならない製品管理段階と、例えば配管接合の接合点や機器調整点のように、管理点単位で且つ複数単位で管理しなくてはならない作業管理段階とがあり、それぞれの段階での読取り性能を変える必要がある。
【００１０】
更に、製品管理の段階で参照や登録する情報と管理点単位に参照や登録する情報が異なるため、それぞれのＲＦＩＤに関連づけて情報管理するためには、それぞれ別々にＲＦＩＤタグを準備する必要がある。そして、ＲＦＩＤタグは製品管理終了後に廃棄する場合もあるが、長距離で反応するため，これが長距離通信性能を保持したまま、廃棄されると、管理すべき新たな製品を読取る場合の誤認識の原因になる。
【００１１】
本発明はこのような事情に鑑みて成されたもので、工場で製造された建設資材や据付け機器等の製品が建設現場で使用されるまでの製品管理と、製品が建設現場で使用される際の作業管理とを効率的に管理でき、しかも管理ミスが発生しにくいＲＦＩＤタグ及びそれを用いた建設現場管理システム並びに管理方法を提供することを目的とする。
【課題を解決するための手段】
【００１２】
請求項１に記載の発明は前記目的を達成するために、読取手段との間で無線通信を行うことで情報を送受信するＲＦＩＤタグであって、ＩＣチップ及びループ状の長いアンテナを有する長距離通信用ＲＦＩＤと、前記ループ状のアンテナの内側領域に複数形成され、ＩＣチップ及び短いアンテナを有すると共に前記長距離通信用ＲＦＩＤとは前記読取手段での読取り周波数が異なる短距離通信用ＲＦＩＤと、備え、前記ＲＦＩＤタグには、該タグ全体から前記短距離通信用ＲＦＩＤを切り離すための破断線が形成されており、該切り離しの際に前記長距離通信用ＲＦＩＤのループ状アンテナも切り離されると共に、前記切り離す前のタグ全体を識別する本体管理用識別コードと、切り離した後の部分タグを識別する部分管理用識別コードとを有することを特徴とするＲＦＩＤタグを提供する。
【００１３】
請求項１によれば、本発明のＲＦＩＤタグは、通信距離の異なる長距離通信用ＲＦＩＤと短距離通信用ＲＦＩＤとが一体的に形成されており、ＲＦＩＤタグに形成した破断線から短距離通信用ＲＦＩＤを切り離すことにより長距離通信用ＲＦＩＤの通信性能が消滅する。また、切り離す前のタグ全体を識別する本体管理用識別コードと、切り離した後の部分タグを識別する部分管理用識別コードとを有している。  
【００１４】
従って、本発明のＲＦＩＤタグは、上記のような特徴があるので、色々な管理に応用できるが、例えば建設現場管理における製品管理と、製品の複数の管理点（例えば配管の場合は接続点）の作業管理と、に効率的に使用することができる。
【００１５】
請求項２に記載の発明は前記目的を達成するために、建設現場で建設資材や据付け機器等の製品を管理するための建設現場管理システムにおいて、前記製品に取り付ける請求項１のＲＦＩＤタグと、前記ＲＦＩＤタグのうちの長距離通信用ＲＦＩＤを読取る第１の読取手段と、前記ＲＦＩＤタグのうちの短距離通信用ＲＦＩＤを読取る第２の読取手段と、前記第１及び第２の読取手段との間で通信可能であると共に、管理情報全体を管理するデータベースを備えた管理サーバと、前記第１及び第２の読取手段と前記管理サーバと間で情報を通信する通信ネットワークと、前記通信ネットワークにアクセスする複数のアクセスポイントと、を備えたことを特徴とする建設現場管理システムを提供する。
【００１６】
請求項２によれば、請求項１に記載した構成のＲＦＩＤタグを、建設現場で建設資材や据付け機器等の製品を管理するＲＦＩＤタグとして使用したので、このＲＦＩＤタグの長距離通信用ＲＦＩＤを、製品単位で管理しなくてはならない製品管理段階に利用し、短距離通信用ＲＦＩＤを製品に付随する複数の管理点（製品の管理すべき部分）を管理しなくてはならない作業管理段階に利用することで、製品管理と作業管理とを効率的に行うことができる。しかも管理ミスが発生しにくい。
【００１７】
請求項３は請求項２において、前記建設現場管理システムは、前記ＲＦＩＤタグのうちの長距離通信用ＲＦＩＤ、前記第１の読取手段、前記データベースのうちの製品管理に関するファイル、前記通信ネットワークのうちの建設現場の敷地内通信をネットワークする敷地内広域ネットワーク及びそのアクセスポイント、で構成され、製造工場で製造した製品を建設現場に搬入して使用するまでのを管理する製品管理システムと、前記ＲＦＩＤタグのうちの短距離通信用ＲＦＩＤ、前記第２の読取手段、前記データベースのうちの作業管理に関するファイル、前記通信ネットワークのうちの建設建屋内の通信をネットワークする建屋内無線ネットワーク及びそのアクセスポイント、で構成され、製品が建設現場で使用される際の進捗状況を管理する作業管理システムと、の２つのシステムで構成されることを特徴とする。
【００１８】
請求項３によれば、製造工場で製造した製品を建設現場に搬入して使用するまでを管理する製品管理システムと、製品が建設現場で使用される進捗状況を管理する作業管理システムとにより、ＲＦＩＤタグの長距離通信用ＲＦＩＤと短距離通信用ＲＦＩＤとの使い分け、それに応じて読取手段、データベースのファイル、通信ネットワークを使い分けするように構成したので、製品管理での情報と作業管理での情報とを確実に棲み分けることができる。これにより、製品管理ミスや作業管理ミスが生じない。
【００１９】
請求項４は請求項２又は３において、前記第１の読取手段は、前記長距離通信用ＲＦＩＤとの間で数ｍ距離の読み取りが可能であると共に、前記長距離通信用ＲＦＩＤにのみ反応する周波数に対応したＲＦＩＤ読取り機能、読取った情報を一時的に格納して関連情報の呼び出しや必要機能の起動を行う情報処理機能、製品の管理業務を支援する支援機能、前記管理サーバとの間で通信する通信機能、及び前記製品管理業務を支援する機能により出力される情報を表示する表示機能を備えることを特徴とする。
【００２０】
請求項４は、製品管理において使用する第１の読取手段の性能構成として、好ましい構成を記載したものである。
【００２１】
請求項５は請求項３又は４において、前記管理サーバの製品管理用データベースには、建設現場の敷地情報、建設工事の工程表情報、製品の出荷情報、製品情報、及び前記製品の管理業務を支援する管理支援情報が前記長距離通信用ＲＦＩＤのコード名と関連づけられて格納されていることを特徴とする。
【００２２】
請求項５は、製品管理を行う上で管理サーバのデータベースに格納されている好ましい情報を記載したものである。これらの情報は、敷地内広域ネットワーク及びそのアクセスポイントを介して第１の読取手段のモニターに表示可能である。
【００２３】
請求項６は請求項５において、前記第１の読取手段は、前記製品に取り付けられた前記ＲＦＩＤタグの長距離通信用ＲＦＩＤから前記製品のＲＦＩＤコードを読み取ると共に、前記製品管理用データベースに格納されている前記管理支援情報の中から製品を搬入する搬入エリア及び搬入時期を参照して前記工程表情報として表示すると共に、候補となる製品保管位置を前記敷地情報と合わせて表示することを特徴とする。
【００２４】
請求項６は、第１の読取手段と管理サーバのデータベースとの間で送受信する情報のやり取りを記載したものである。
【００２５】
請求項７は請求項１〜６のいずれか１において、前記第２の読取手段は、前記短距離通信用ＲＦＩＤとの間で数１０ｃｍ距離の読み取りが可能であると共に、前記短距離通信用ＲＦＩＤにのみ反応する周波数に対応したＲＦＩＤ読取り機能、読取った情報を一時的に格納して関連情報の呼び出しや必要機能の起動を行う情報処理機能、工事進捗管理を支援する支援機能、前記管理サーバとの間で通信する通信機能、及び前記工事進捗管理を支援する機能により出力される情報を表示する表示機能を備えることを特徴とする。
【００２６】
請求項７は、作業管理において使用する第２の読取手段の性能構成として、好ましい構成を記載したものである。
【００２７】
請求項８は請求項７において、前記管理サーバの作業管理用データベースには、建設現場のエリア工程、工事施工図、３Ｄ−ＣＡＤ、周辺作業の進捗情報、資材の管理点に関する工事進捗管理を支援する支援情報が前記短距離通信用ＲＦＩＤのコード名と関連づけられて格納されていることを特徴とする。
【００２８】
請求項８は、作業管理を行う上で管理サーバのデータベースに格納されている好ましい情報を記載したものである。これらの情報は、建屋内無線ネットワーク及びそのアクセスポイントを介して第２の読取手段のモニターに表示することができる。
【００２９】
請求項９に記載の発明は前記目的を達成するために、建設現場で建設資材や据付け機器等の製品を管理するための建設現場管理方法において、請求項１のＲＦＩＤタグ全体である本体管理用ＲＦＩＤタグの長距離用ＲＦＩＤコード名と管理サーバのデータベースに格納された製品管理情報とを関連づける第１の工程と、前記関連づけの終了した本体管理用ＲＦＩＤタグを前記製品の製造工場において該当製品に取り付ける第２の工程と、前記本体管理用ＲＦＩＤタグを取り付けた製品を前記建設現場に出荷する第３の工程と、前記建設現場において前記本体管理用ＲＦＩＤタグの長距離通信用ＲＦＩＤコード名を第１の読取手段で読み取って前記建設現場に入庫する製品を確認すると共に確認結果を前記データベースに記録する第４の工程と、前記建設現場に入庫した製品を該当工事現場又は仮保管エリアに搬送する第５の工程と、前記本体管理用ＲＦＩＤタグから短距離用ＲＦＩＤを備えた複数の部分管理用ＲＦＩＤタグを切り離す第６の工程と、前記切り離された複数の部分管理通信用ＲＦＩＤタグコード名ごとにデータベースの管理点情報を関連づける第７の工程と、前記部分管理用ＲＦＩＤタグのコード名を第２の読取手段で読み取って製品の管理点の場所及び数を確認する第８の工程と、前記確認した部分管理用ＲＦＩＤタグをそれぞれの管理点に取り付けると共に切り離された後の本体管理用ＲＦＩＤタグを回収又は廃棄する第９の工程と、前記部分管理用ＲＦＩＤタグが取り付けられた製品について据付け工事を実施すると共に、工事の進捗状況を前記データベースに記録する第１０の工程と、の各工程を製品ごとに実施することを特徴とする建設現場管理方法を提供する。
【００３０】
請求項９は、本発明の建設現場管理方法の工程を示したものであり、この工程を実施することで、工場で製造された製品が建設現場で使用されるまでの製品管理と、製品が建設現場で使用される際の作業管理とを効率的に管理でき、しかも管理ミスが発生しにくい。
【発明の効果】
【００３１】
本発明によれば、工場で製造された建設資材や据付け機器等の製品が建設現場で使用されるまでの製品管理と、製品が建設現場で使用される際の作業管理とを効率的に管理でき、しかも管理ミスが発生しにくい。
【発明を実施するための最良の形態】
【００３２】
以下添付図面に従って本発明に係るＲＦＩＤタグ及び建設現場管理システム並びに管理方法の好ましい実施形態について説明する。
【００３３】
図１は、本発明に係るＲＦＩＤタグの一例を示す説明図であり、図２は図１のＡ−Ａ線に沿った断面図である。尚、本発明のＲＦＩＤタグは色々な用途が考えられるが、本実施の形態では、建設現場で建設資材や据付け機器等の製品を管理する管理システムにおいて利用する例で説明する。また、建設資材等の製品として配管の例で以下に説明する。
【００３４】
図２に示すように、ＲＦＩＤタグ１０は、ＲＦＩＤ基板１２と、ＲＦＩＤ基板１２の表面側に設けられた表面保護シート１４と、ＲＦＩＤ基板１２の裏面側に設けられた裏面保護シート１６と、裏面保護シート１６の側に設けられた剥離シート１８と、裏面保護シート１６と剥離シート１８を剥離可能に接着する接着層２０と、の５層構造に形成される。
【００３５】
表面及び裏面の保護シート１４、１６としては、紙やプラスチックフィルム等の薄いシートを使用することができ、表裏の保護シート１４の間にＲＦＩＤのＩＣチップ及びアンテナが挟まれた状態で介在される。
【００３６】
ＲＦＩＤ基板１２に形成されるアンテナ２２Ｂ，２４Ｂは金属性になるが薄い鋼線等からなる。保護面の下には接着層２０があり、シール用の剥離紙１８が貼り付けられている。接着層２０に使用する接着剤は、建設資材や据付け機器等の製品は金属で形成されることが多いので、金属に接着可能なものであることが好ましい。剥離シート１８は紙やプラスチックフィルム等の薄いシートを使用することができる。
【００３７】
また、図１に示すように、ＲＦＩＤ基板１２は、ＩＣチップ２２Ａ及びループ状の長いアンテナ２２Ｂを有する長距離通信用ＲＦＩＤ２２と、ループ状のアンテナ２２Ｂの内側領域に複数形成され、ＩＣチップ２４Ａ及び棒状の短いアンテナ２４Ｂを有すると共に長距離通信用ＲＦＩＤ２２とは読取手段（リーダ・ライタ）での読取り周波数が異なる短距離通信用ＲＦＩＤ２４と、で構成される。
【００３８】
長距離通信用ＲＦＩＤ２２は、ＵＨＦ帯等の長距離通信を利用したタグで周波数に応じた適正なサイズのアンテナ２２Ｂを有するが、このアンテナ２２Ｂをループ状にし、その内側に複数の短距離通信用ＲＦＩＤ２４を格納するように構成される。尚、図１では、短距離通信用ＲＦＩＤ２４が３個の場合であるが、この数に限定されず複数あればよい。
【００３９】
短距離通信用ＲＦＩＤ２４は、２．４５ＧＨｚ帯等で短距離通信を利用したタグで短いアンテナ構造になる。
【００４０】
また、ＲＦＩＤタグ１０には、複数から成る短距離通信用ＲＦＩＤ２４同士を切り離すための破断線２６（例えば、ミシン目）が形成されており、該切り離しの際に長距離通信用ＲＦＩＤ２２のループ状アンテナ２２Ｂも切り離される。この場合、長距離通信用ＲＦＩＤ２２のアンテナ２２Ｂに部分的に破断線２６が入っていても部分的に接続されていることでアンテナの機能は問題ない。これにより、短距離通信用ＲＦＩＤ２４を備えた複数枚のタグが形成される。また、破断線２６でＲＦＩＤタグ１０を切り離すことで、長距離通信用ＲＦＩＤ２２の通信機能が破壊される。
【００４１】
ここで、破断線２６により短距離通信用ＲＦＩＤ２４を切り離す前のＲＦＩＤタグ１０全体を管理するタグを本体管理用ＲＦＩＤタグ１０Ａと称し、切り離した個々のＲＦＩＤタグ（タグ全体から破断線２６により切り離した小片タグ）を部分管理用ＲＦＩＤタグ１０Ｂと称する。
【００４２】
また、長距離通信用ＲＦＩＤ２２のＩＣチップ２２Ａには、工場で製造した配管を建設現場に搬入して使用するまでを製品管理するための識別コードである本体管理用ＲＦＩＤコード名が登録されていると共に、上記した表面保護シートには製品番号２８が印字されている。一方、短距離通信用ＲＦＩＤ２４のＩＣチップ２４Ａには、配管３２（図３参照）が建設現場で使用される際に作業管理するための識別コードである部分管理用ＲＦＩＤコードが登録されていると共に、上記した表面保護シートには管理番号３０が印字されている。
【００４３】
そして、本体管理用ＲＦＩＤタグ１０Ａを配管３２に取付ける際は、４本の破断線２６で区画された５片のうちの最上部（部分管理用タグ１０Ｂではない部分）の剥離紙１８だけを剥がして配管３２又は配管３２のキャップ３２Ａに貼り付け、工場で製造された配管３２が建設現場で使用されるまでの製品管理を行う。
【００４４】
一方、配管３２が建設現場で使用される際の作業管理を行う場合には、本体管理用ＲＦＩＤタグ１０Ａの破断線２６から部分管理用タグ１０Ｂを切り離した後、剥離紙１８を剥がして配管３２の管理点３４（図４参照）に貼り付ける。通常、配管３２の管理点３４は接続箇所であり、配管両端の２箇所なので、該２箇所に部分管理用タグ１０Ｂをそれぞれ貼り付ける。尚、Ｔ字形状の配管３２の場合には管理点３４が３箇所なのでその３箇所に部分管理用タグ１０Ｂを貼り付ける。從って、本体管理用ＲＦＩＤタグ１０Ａには、管理する配管３２等の製品の管理点３４の数に応じて部分管理用タグ１０Ｂの枚数を備えている必要がある。
【００４５】
次に、上記の如く構成されたＲＦＩＤタグを用いて配管（製品の一例）の管理を行う例で本発明に係る建設現場管理システム４０（４０Ａ，４０Ｂ）の全体構成を説明する。
【００４６】
図３及び図４に示すように、本発明の建設現場管理システム４０の装置構成は、主として、配管３２に貼り付ける本体管理用ＲＦＩＤタグ１０Ａと、本体管理用ＲＦＩＤタグ１０Ａの長距離通信用ＲＦＩＤ２２を読取る第１の読取手段４２と、部分管理用ＲＦＩＤタグ１０Ｂの短距離通信用ＲＦＩＤ２４を読取る第２の読取手段４４と、第１及び第２の読取手段４２、４４と通信可能であり、製品管理及び作業管理全体情報を管理するデータベース４６Ａを備えた管理サーバ４６と、第１及び第２の読取手段４２、４４と管理サーバ４６との間で情報を通信する通信ネットワークとで構成される。通信ネットワークは、建設現場の敷地内通信をネットワークする敷地内広域ネットワークと、建設建屋内の通信をネットワークする建屋内無線ネットワークとで、構成され、これらのネットワークは複数設けられたアクセスポイント５０を含む通信網によって構成される。そして、第１及び第２の読取手段４２、４４は、現場作業者や現場監督者等が所持し、管理サーバ４６は現場事務所の管理センター等に設置される。また、配管を製造する工場と建設現場に設置された管理サーバのデータベースとは、インタネット回線等により結ばれている。
【００４７】
本発明の建設現場管理システム４０は、大きく分けて２つの管理段階で構成され、１つは、図３に示すように、工場で製造した配管３２を建設現場に搬入して建設工事に使用するまでの製品管理システム４０Ａである。また、もう一つは、図４に示すように、配管３２が建設現場内に搬入されて据付け等の工事作業が実施される進捗状態等を管理する作業管理システム４０Ｂである。
【００４８】
製品管理システム４０Ａで使用される装置構成は、図３に示すように、配管３２に取り付ける本体管理用ＲＦＩＤタグ１０Ａと、第１の読取手段４２と、管理サーバ４６と、敷地内広域ネットワークとで構成される。一方、作業管理システム４０Ｂで使用される装置構成は、本体管理用ＲＦＩＤタグ１０Ａから切り離して配管３２の管理点に取り付ける部分管理用ＲＦＩＤタグ１０Ｂと、第２の読取手段４４と、管理サーバ４６と、建屋内無線ネットワークとで構成される。２つの管理システム４０Ａ、４０Ｂでは、上記の如く読取るＲＦＩＤの利用周波数が異なることから、別の読取手段４２、４４となる。また、管理サーバ４６は、第１又は第２の読取手段で読み取ったＲＦＩＤコード名に応じて参照先が管理する内容（製品管理と作業管理）によって異なるデータベース４６Ａ、４６Ｂとなる。
【００４９】
図３に示すように、製品管理で使用する第１の読取手段４２は、長距離通信（数ｍ程度）の長距離通信用ＲＦＩＤ２２にのみ反応する周波数に対応した読取り機能、読取ったＲＦＩＤを一時的に格納して関連情報の呼び出しや必要機能の起動を行う情報処理機能、配管３２の管理を支援する製品管理支援機能、管理サーバ４６のデータベース４６Ａに接続するための通信機能、製品管理支援機能により出力される情報を表示する表示機能を備えている。
【００５０】
製品管理支援の具体的な機能としては、建設現場の敷地情報、工程表情報、製品の出荷情報、製品情報等を格納したデータベース４６Ａの情報を、現場敷地内に設置された無線ＬＡＮ等のアクセスポイントを経由して敷地内広域ネットワークから参照し、製品管理支援の内容に応じた表示を第１の読取手段４２に表示することができる。
【００５１】
図４に示すように、作業管理で使用する第２の読取手段４４は、短距離通信（数１０ｃｍ程度）の短距離通信用ＲＦＩＤ２４にのみ反応する周波数に対応した読取り機能、読取ったＲＦＩＤを一時的に格納して関連情報の呼び出しや必要機能の起動を行う情報処理機能、作業の進捗管理を支援する支援機能、管理サーバ４６のデータベース４６Ｂに接続するための通信機能、作業進捗管理支援機能により出力される情報を表示する表示機能を備えている。
【００５２】
作業進捗支援の具体的な機能としては、作業のエリア工程、作業施工図、３Ｄ−ＣＡＤ、周辺作業の進捗情報、管理点に関する情報等を格納したデータベースの情報を、建設建屋内に設置された無線ＬＡＮ等のアクセスポイント５０を経由して建屋内無線ネットワークから参照し、作業進捗管理支援の内容に応じた表示を第２の読取手段に表示することができる。
【００５３】
次に、図５に従って、本発明の建設現場管理システムによって建設資材や据付け機器等の製品を管理する管理方法のステップフローの一例を、配管の場合で以下に説明する。
【００５４】
図５の縦方向は管理の経時的推移を示し、横方向には、経時的推移に対応するＲＦＩＤタグ１０の運用状態、製品管理段階又は作業管理段階のどのステップであるかの区別、及び第１及び第２の読取手段４２、４４と管理サーバ４６のデータベース４６Ａ、４６Ｂとの間でやり取りする情報内容が示されている。
【００５５】
（製品管理段階）
予め、本体管理用ＲＦＩＤタグ１０Ａの長距離通信用ＲＦＩＤ２２に登録された本体管理用ＲＦＩＤコード名と、管理サーバ４６のデータベース４６Ａとの間で製品情報に関する関連づけ（紐付けともいう）を行っておく（ステップ１）。そして、製品情報の関連づけが済んだ本体管理用ＲＦＩＤタグ１０Ａを発行する（ステップ２）。
【００５６】
次に、配管３２を製造する工場の作業者は、発行された本体管理用ＲＦＩＤタグ１０Ａの最上部の剥離紙１８のみを剥がし、工場で製造された配管３２のキャップ３２Ａに貼り付ける（ステップ３）。尚、キャップ３２Ａに貼り付ける他に、配管３２自体に貼り付けてもよい。工場作業者は、建設現場に配管３２が出荷される出荷時点での本体管理用ＲＦＩＤコード名に対応する情報を読取って工場出荷情報としてデータベース４６Ａに送信する（ステップ４）。尚、工場で本体管理用ＲＦＩＤ１０Ａを読み取る読取手段としては、建設現場で使用する第１の読取手段４２と同様のものを使用できる。
【００５７】
次に、本体管理用ＲＦＩＤタグ１０Ａが貼り付けられた配管３２は、複数本の束としてトラック等の輸送手段に積載され、納品明細と一緒に建設現場に向けて出荷される（ステップ５）。これにより、工場で製造された配管３２を建設現場に出荷する際に、配管３２のキャップ３２Ａに貼り付けられた本体管理用ＲＦＩＤタグ１０Ａには、その配管３２の本体管理用コード名に対応した製品情報が関連づけられることになる。
【００５８】
從って、配管３２に貼り付けられた本体管理用ＲＦＩＤタグ１０Ａの本体管理用コード名を第１の読取手段４２で読み取ることにより、データベース４６Ａに格納された対応する製品情報を呼び出して表示することが可能となる。製品情報としては、図６の製品情報ファイルに示すように、「本体管理用ＲＦＩＤタグコード」、「製品番号」、「工場出庫番号」、配管３２を使用する工事の「系統名」、「建屋名」、「エリア番号」等があり、本体管理用ＲＦＩＤコードと関連づけて記録されている。
【００５９】
次に、配管３２が建設現場に入庫した時点で、建設現場の現場作業者は、製品確認を行う（ステップ６）。即ち、現場作業者は、建設現場に到着した配管３２の本体管理用ＲＦＩＤタグ１０Ａを第１の読取手段４２で読み取ることにより、工場出荷時にデータベース４６Ａに記録された工場出荷情報、即ち納品（入庫）情報を読み取り、読み取った情報と納品明細とが一致するかを確認する。図６に示す工場出庫番号が納品明細と一致すればよい。即ち、図６のファイル中ではＫ００１が同一種類の配管として工場から出荷されたものとすれば、これらに対応した本体管理用ＲＦＩＤコードと建設現場への入庫時に読み取った本体管理用ＲＦＩＤコードが一致すれば入庫製品に間違いは無いと判断する。万が一、配管３２の誤配送があれば、ＲＦＩＤコードの不整合があるので、建設現場への入庫時に迅速に確認することが可能となる。そして、現場作業着は、製造工場から建設現場に入庫した製品確認が終了した配管３２については、図７の製品管理情報ファイルの「現地入荷」の欄に「入荷済み」と入力する。製品情報管理ファイルには、「本体管理用ＲＦＩＤコード」、「製品番号」、「工場進捗（工場から出荷済みか否か）」、「現地入荷」、「仮保管エリア」等の情報項目を設けることが好ましい。
【００６０】
建設現場に入庫した配管３２は、入庫後に直ぐに作業現場内に搬入されるものもあるが、一般的には建設敷地内の製品保管場所に仮置き保管するのが通常である。従って、現場作業者は入庫した配管３２が何時の時点で作業現場に搬入されるかを確認し、その搬入時期に応じて何処の製品保管置場に仮置き保管すればよいかを判断しなくてはならない。従って、これらの判断を支援するたに、本体管理用ＲＦＩＤコードから製品番号を取得し、取得した製品番号から製品情報ファイルに記録されている「エリア番号」、即ちその配管３２を使用する工事エリアを割り出す。また、そのエリア番号の製品保管置場への引渡し時期等を図６のデータベースから参照して工程表情報として第１の読取手段４２のモニターに表示する。そして、製品管理情報ファイルから「エリア番号」に近い「仮保管エリア」を確認する（ステップ７）。そして、その仮保管エリアに該当する製品保管置場に向けて配管３２を出庫（搬入）する（ステップ８）。
【００６１】
この場合、図８に示すように、候補となる仮保管エリアが敷地情報と合せて表示されることで迅速に作業指示が可能となる。また、建設現場内に入庫した配管を作業現場の指定された仮保管エリアに搬入する段階でも、仮保管エリアにおいて仮保管指示のあった配管３２の本体管理用ＲＦＩＤタグ１０Ａを第１の読取手段４２で読み取って確認することで、指定された配管３２を指定された仮保管エリアに確実に選定して仮保管できる。指定した仮保管エリアに配管３２を搬入した後、配管３２はキャップ３２Ａを外された状態で仮保管される。これにより、製品管理システムにおけるステップが終了し、次の作業管理システムのステップに移行する。
【００６２】
（作業管理段階）
配管３２の場合には１つの配管３２に複数存在する接続点が工事作業での管理点となる。そこで、製品管理段階が終了した段階で配管３２のキャップ３２Ａに貼り付けられていた本体管理用ＲＦＩＤタグ１０Ａから複数枚の部分管理用ＲＦＩＤタグ１０Ｂを切り離す（ステップ９）。
【００６３】
そして、予め、切り離した複数枚の部分管理用ＲＦＩＤタグ１０Ｂを第２の読取手段４４で読み取ると共に、第２の読取手段４４と管理サーバ４６のデータベース４６Ｂとの間で、部分管理用ＲＦＩＤタグ１０Ｂのコード名と管理点に関する情報とを関連づけ（紐付け）ておく（ステップ１０）。図９に示すように、データベース４６Ｂの管理点情報ファイルには、「部分管理用ＲＦＩＤコード」、「図面番号」、「継手番号」、配管作業を行う工事の「系統名」、「建屋」、「エリア番号」等が情報として格納されている。これにより、該当する「部分管理用ＲＦＩＤコード」に対応する「図面番号」と「継手番号」とを知ることで、配管の管理点の場所や数を一義的に特定することができる。
【００６４】
次に、関連づけの終了した複数の部分管理用ＲＦＩＤタグ１０Ｂを第２の読取手段４４で再び読み取り（ステップ１１）、データベース４６Ｂとの間で管理点の確認を行う（ステップ１２）。
【００６５】
次に、現場作業者は、確認の終了した複数の部分管理用ＲＦＩＤタグ１０Ｂを配管３２の各管理点３４（各接続点）に貼り付ける（ステップ１３）。一方、配管３２のキャップ３２Ａに残った本体管理用ＲＦＩＤタグ１０Ａは、キャップ３２Ａとともに回収するか、又は廃棄される（ステップ１４）。この場合、本体管理用ＲＦＩＤタグ１０Ａから部分管理用ＲＦＩＤタグ１０Ｂを切り離した時点で、本体管理用ＲＦＩＤタグ１０Ａの長距離通信用のアンテナ２２Ｂが切断されるため、通信性能が破壊される。従って、配管３２のキャップ３２Ａに残った本体管理用ＲＦＩＤタグ１０Ａを廃棄したときに、未使用の本体管理用ＲＦＩＤタグ１０Ａに紛れ込んだとしても、誤認識される心配がない。ちなみに、本体管理用ＲＦＩＤタグ１０Ａのアンテナ２２Ｂが切断されないまま廃棄すると、長距離通信が可能であるため、間違って未使用のＲＦＩＤタグに紛れ込んだ場合、本来読み取らなくてはいけない製品のＲＦＩＤタグではなく、廃棄したＲＦＩＤタグを誤って読み取ってしまうという問題が発生する。
【００６６】
次に、複数の管理点３４に部分管理用ＲＦＩＤタグ１０Ｂを貼り付けた配管３２についての接続工事を行うと共に、接続工事の進捗度の管理を行う（ステップ１５）。即ち、配管３２に貼り付けられた部分管理用ＲＦＩＤタグ１０Ｂを第２の読取手段４４により読み取って、管理サーバ４６のデータベース４６Ｂから図１０に示す作業進捗情報ファイルを読み出す。そして、読み取った情報と、工事中である配管３２の部分管理用ＲＦＩＤコードとを関連づけて作業進捗情報ファイルに接続工事の進捗度を記録してゆく（ステップ１６）。例えば、配管３２であれば接続点が管理点３４であり、図１０のように、接続点の開先合せ（ＦＵ）実施中、開先合せ（ＦＵ）完了、開先合せ（ＦＵ）検査完了、溶接中、溶接完了等の進捗状況が順次記録されることになる。このステップ１６とステップ１７とを全ての製品について繰り返す。
【００６７】
部分管理用ＲＦＩＤタグ１０Ｂから読み取る情報は、現場作業者が作業進捗情報ファイルへの記録時にのみ参照するものではない。例えば、図１０に示すように、検査官が検査対象の機器が図面上のどの製品なのかを確認するときにも使用できる。更には、作業指示をする現場監督が作業ポイント付近の管理点情報を部分管理用ＲＦＩＤタグ１０Ｂから呼び出すことにより、該当作業の作業ポイントに近い近接ポイントの作業状況に応じて足場等の仮設共用を計画したり、該当作業のエリアの工程が実作業と合っているかを確認したりすることができる。また、現場監督は、配管の接続工事であれば、配管の接続の相手方である機器（図１０の接点機器）の納品状況はどうなっているか等の作業指示に有益となる情報を確認できる。
【００６８】
このように、本発明によれば、製品管理段階で利用する長距離通信を可能とする本体管理用ＲＦＩＤタグとその内側に作業管理段階で複数の管理点を管理するための短距離通信の性能を持つ部分管理用ＲＦＩＤタグを利用し、製品管理段階と作業管理段階で２つのタグを使い分けて利用するようにした。これにより、効果的な現場管理が可能となる。また、本体管理用ＲＦＩＤタグは長距離通信可能なので、一度に多量の製品情報を同時に読み取ることができる。一方、製品の管理点に貼り付ける部分管理用ＲＦＩＤタグは短距離通信なので、該当する管理点のみを正確に読み取ることができる。
【００６９】
また、製品管理段階で利用する本体管理用ＲＦＩＤタグには製品管理に有益な情報を関連づけるようにして、製品の搬入管理や建設敷地内での仮置き場所の選定支援等が行える。一方、作業管理段階で利用する部分管理用ＲＦＩＤタグには、製品の管理点の情報を関連づけることで、建設図面との照合や隣接する管理点の状況から作業の全体進捗がリアルタイムに参照でき、効率的な作業指示が可能となる。
【００７０】
また、本体管理用ＲＦＩＤタグに関連づける製品管理情報と、部分管理用ＲＦＩＤタグに関連づける作業管理情報とを、管理サーバのデータベースにおいて異なるファイルにすることで、製品管理と作業管理の効率を向上できるだけでなく、製品管理と作業管理の情報ミスを防止できる。
【００７１】
また、本体管理用ＲＦＩＤタグから部分管理用ＲＦＩＤタグを破断線で切り離すことで、製品管理に利用していた長距離通信機能を持つ本体管理用ＲＦＩＤタグの性能を消滅できる。これにより、製品管理終了時に自動的に本体管理用ＲＦＩＤタグの通信が行えなくなるため、廃棄した場合であっても、作業管理中に、廃棄した本体管理用ＲＦＩＤタグの信号を拾って誤認識することを防止できる。
【００７２】
尚、本実施の形態では、製品として配管の例で説明したが、建設に使用される資材、据付け機器等の全てに適用できる。
【図面の簡単な説明】
【００７３】
【図１】本発明のＲＦＩＤタグの正面図
【図２】本発明のＲＦＩＤタグの断面図
【図３】本発明の建設現場管理システムのうちの製品管理システムにおいて使用する装置構成図
【図４】本発明の建設現場管理システムのうちの作業管理システムにおいて使用する装置構成図
【図５】本発明の建設現場管理システムを実施する手順を示したフローチャート図
【図６】第１の読取手段と管理サーバのデータベースとの間で通信される製品情報を示した製品情報台帳の一例を示す図
【図７】第１の読取手段と管理サーバのデータベースとの間で通信して製品の管理状況を記録するための製品管理台帳の一例を示す図
【図８】製品管理において第１の読取手段のモニターに表示される表示内容の一例を示す説明図
【図９】第２の読取手段と管理サーバのデータベースとの間で通信される管理点情報を示した管理点情報台帳の一例を示す図
【図１０】第２の読取手段と管理サーバのデータベースとの間で通信して管理点の管理状況を記録するための管理点管理台帳の一例を示す図
【図１１】管理点管理において第１の読取手段のモニターに表示される表示内容の一例を示す説明図
【符号の説明】
【００７４】
１０…ＲＦＩＤタグ、１２…ＲＦＩＤ基板、１４…表面保護シート、１６…裏面保護シート、１８…剥離紙、２０…接着層、２２…長距離通信用ＲＦＩＤ、２２Ａ…ＩＣチップ、２２Ｂ…長距離通信用のループ条アンテナ、２４…短距離通信用ＲＦＩＤ、２４Ａ…ＩＣチップ、２４Ｂ…短距離通信用のアンテナ、２６…破断線、２８…製品番号、３０…管理番号、３２…配管（製品の一つ）、３４…管理点、４０…建設現場管理システム、４０Ａ…製品管理システム、４０Ｂ…作業管理システム、４２…第１の読取手段（リーダ・ライター）、４４…第２の読取手段（リーダ・ライター）、４６…管理サーバ、４６Ａ…製品管理用データベース、４６Ｂ…作業管理用データベース、５０…アクセスポイント
【図１】
2008158569.tif 000003
【図２】
2008158569.tif 000004
【図３】
2008158569.tif 000005
【図４】
2008158569.tif 000006
【図５】
2008158569.tif 000007
【図６】
2008158569.tif 000008
【図７】
2008158569.tif 000009
【図８】
2008158569.tif 000010
【図９】
2008158569.tif 000011
【図１０】
2008158569.tif 000012
【図１１】
2008158569.tif 000013